(57)【要約】【課題】工作中に、幼児などが誤って口に入れても安全で、空気中に長時間置いても脆化しにくく、シート状にしての造形にも適し、かつ弾性に優れ安全性の高い造形物を作ることができるものであって、新しい創作分野を実現する粘土細工キットを提供すること。【解決手段】大気中で加硫可能な加硫剤を配合して混錬した未加硫状態の熱加硫型シリコーンゴムを含有する粘土状の造形用固形物（２）で着色された薄板状のものを含む粘土細工キット（１）とすること。【選択図】図１
0003159801.tif 000002
【実用新案登録請求の範囲】
【請求項１】
大気中で加硫可能な加硫剤を配合して混錬した未加硫状態の熱加硫型シリコーンゴムであって、加圧せず加熱した大気中で架橋する熱加硫型シリコーンゴムを含有する粘土状の造形用固形物を含むことを特徴とする粘土細工キット。
【請求項２】
前記造形用固形物が着色された薄板状であることを特徴とする請求項１記載の粘土細工キット。
【請求項３】
前記造形用固形物が、少なくとも２色以上の複数個含まれ、前記造形用固形物同士の間にシートを挟んで重ね、前記造形用固形物を出し入れ可能に収納する蓋つきのケースに収納してあることを特徴とする請求項１又は請求項２記載の粘土細工キット。
【考案の詳細な説明】
【技術分野】
【０００１】
本考案は、主として幼児や子供の教育現場での工作や美術造形などに用いることのできる粘土細工キットに関する。
【背景技術】
【０００２】
従来、粘土細工キットに含まれる粘土の種類には、紙粘土や油粘土、ゴム粘土、小麦粘土、土粘土、樹脂粘土などがある（例えば、特許文献１参照）。
【先行技術文献】
【特許文献】
【０００３】
【特許文献１】特開平５−１４２９９０号公報（０００７段落）
【考案の概要】
【考案が解決しようとする課題】
【０００４】
しかし、油粘土やゴム粘土は、造形して完成させた後も外圧を加えると変形して復元しないという問題があった。紙粘土や土粘土、樹脂粘土、小麦粘土は、造形時にべたついたり、時間が経つと水分が抜けてしまい薄く伸ばして造形するのに不向きであるという問題があり、また、完成物を幼児などが投げたりすると壊れたり人にあたったとき怪我をする恐れがあるという問題があった。また、油粘土や樹脂粘土などは、幼児が誤って食べてしまうと健康を害するおそれがあるという問題があった。
【０００５】
したがって、本考案の第１の目的は、誤って口に入れても安全で、空気中に長時間置いても脆化しにくく、シート状にしての造形にも適し、かつ弾性に優れ安全性の高い造形物を作ることができる粘土細工キットを提供することにある。
【課題を解決するための手段】
【０００６】
上記目的を達成するため、本考案は、次のように構成したものである。
【０００７】
本考案の第１の態様は、大気中で加硫可能な加硫剤を配合して混錬した未加硫状態の熱加硫型シリコーンゴムであって、加圧せず加熱した大気中で架橋する熱加硫型シリコーンゴムを含有する粘土状の造形用固形物を含むことを特徴とする粘土細工キットを提供するものである。
【０００８】
前記造形用固形物が着色された薄板状であることが好ましい。さらに、前記造形用固形物が、少なくとも２色以上の複数個含まれ、前記造形用固形物同士の間にシートを挟んで重ね、前記造形用固形物を出し入れ可能に収納する蓋つきのケースに収納してあることが好ましい。
【考案の効果】
【０００９】
本考案の粘土細工キットは、上述したとおりであるので、誤って口に入れても安全で、空気中に長時間置いても脆化しにくく、シート状にしての造形にも適し、かつ弾性に優れ安全性の高い造形物を作ることができる。
【考案を実施するための形態】
【００１０】
以下に、添付した図面を参照しながら、本考案の好適な実施例の構成及び作用を詳細に説明する。
【実施例１】
【００１１】
図１は、本考案の実施例１に係る粘土細工キットを示す構成図である。本実施例の粘土細工キット１は、ケース３に入った造形用固形物２のセットであって、造形用固形物２は、加硫剤を配合して混錬した未加硫状態の熱加硫型シリコーンゴムを含有する粘土状の造形用固形物である。粘土細工キットには、へらや型などが含まれてもよい。本実施例において、加硫剤は、大気中で加硫可能な加硫剤、詳細には、生ゴムを空気雰囲気下で加圧せずに加熱により架橋反応をさせて弾性ゴムにするものである。造形用固形物２は、それぞれ、工作しやすいように薄板状にしてあり、また、創作力を発揮できるよう多色の造形用固形物２が、１つのケース３にセットされている。本実施例では、赤色、青色、黄色、オレンジ色、緑色、白色の６色の、厚みが５ｍｍ〜８ｍｍ程度の造形用固形物２が、分離シート４で互いにくっつかないように重ねて、色別に、ケース３内に並べて収納されている。図１においては、分離シート４は省略してある。図１は粘土細工キット１の中から３枚の造形用固形物２をケース３から取り出したときの図である。ケース３は、造形用固形物２を出し入れ可能に収納する蓋つきのケースで、内部に仕切りを有する透明なポリプロピレン等のケースである。蓋つきであるので、静電気で埃が造形用固形物に付着することを防止できる。分離シート４はシリコーンゴムに付着せず柔軟性に優れた、塩化ビニル等の薄いシートである。
【００１２】
本実施例では、造形用固形物２は、未加硫状態の熱加硫型シリコーンゴム（ミラブル型）に大気中で加硫可能な加硫剤（Ｎ−２３：信越化学工業（株）製）を配合し、ゴム用の２本ローラーで混練して薄板状にしたものである。混練時に着色剤を添加すると、均一な着色済み造形用固形物となる。着色剤には、安全テストで無害であることが判明したものを使用する。アルミ等のラメを混合してもよい。シリコーンゴムとしては様々な硬さのものを使うことができる。
【００１３】
造形用固形物２は餅程度の軟らかさの生地で、薄く延ばしたり、手でちぎったり鋏で切ったり、手やへらなどで形を作ったり表面に模様を描いたりすることができる。クッキーのように型抜きすることもできる。また、工作中に誤って口に入れても消化されずに便として出てくるので安全である。したがって、幼い子供が粘土細工するのに適しており、幼稚園や小学校などでも使用可能である。表面に埃やごみが付着したら、アルコールやトルエン等で除去可能である。金型に流し込む必要がなく、様々な造形方法で造形物を作れるため、創作性に富む。
【００１４】
また、造形用固形物２は粘性が大きいため、２色以上を使ってマーブル状にすることもでき、創作バリエーションが豊かである。また、ガラスタンブラーや陶製コップ、木棒、金属筒、耐熱樹脂コップなどを芯材として巻きつけて容器を作ることができる。また、ガラスビーズをつけることもできる。薄片にして細かいパーツを作ったり、様々な色のパーツを重ね付けできるので、新しい分野の美術品を作ることができる。
【００１５】
形を作った後は、ヘアドライヤーやオーブントースターで、１２０℃〜１８０℃で５分〜２０分程度加熱して、白っぽくなったら加熱を終了し、放置して冷まし、色が戻ったら完成物となる。陶器の皿やアルミホイルなどのうえにのせて加熱することができる。加熱温度が低くて済むので、ホットプレートを使うこともできる。形を作った後に、フライパンに入れた皿の上に載せてふたをして加熱してもよい。型に流し込んだりする必要がないので、ねじりの入ったブレスレットなども作ることができ、造形の自由度が高い。アルミのラメを入れた造形用固形物でも、加熱温度が低く圧力がかからないのでアルミが酸化せず、装飾性を損なわない。ガラスタンブラー等を芯材にしたときは、加熱後に芯材を抜く。ゴム弾性により伸び縮みするため容易に芯を外しやすい。完成物は、ガラスや陶器、木、耐熱樹脂にはくっつかず、金属や紙にもくっつきにくい。金属に一部のゴムが付着してもこすれば除去でき、紙が完成物の表面に残っても水でふやかして除去することができる。
【００１６】
造形用固形物２は、薄板状で１年以上大気中に放置しておいても、脆化せず、造形が容易で、しかし成形後の加熱で大気中で十分架橋するため、耐久性に優れている。樹脂粘土と違い、水分が入っていないので、シート状に薄く延ばして放置していても水分が抜けて自然硬化して脆化するというおそれがなく、厚さ０．５ｍｍ〜２ｍｍのシート状に伸ばしても、自然硬化しないので、1週間以上シリコーンゴムを合成した時点でのやわらかさと粘り気を保つことができる。本考案の実施例１に係る粘土細工キットは、熱加硫型シリコーンゴムに、大気中で加硫可能な加硫剤を配合して混錬し、未加硫の状態で、工作用粘土として使用するものであり、シリコーンゴムの有用な使用方法である。
【００１７】
図２は、本考案の実施例１に係る粘土細工キットで作成したシリコーンゴム造形物の一例である。シリコーンゴム造形物５は、造形用固形物２を、薄く伸ばしたり手でちぎったりはさみやカッターで切り出し、紙筒を芯材として造形用固形物２から切り出して成形した造形パーツを巻きつけ、さらに別の造形パーツを重ね貼りして、花瓶の形に造形物を成形する工程、成形した造形物をオーブントースターで１６０℃で１０分加熱する工程、加熱後に芯材を造形物から抜いて外す工程を経て製造された容器である。加熱温度及び時間は、造形物の生地が架橋反応するのに必要な熱量を与える程度で足りる。
【００１８】
同様な方法で、花瓶のほか、様々な容器を作ることができる。また、粘土細工キットにより、ブレスレット等のアクセサリー、キーホルダーなど、様々な形状のシリコーンゴム造形物を作ることができる。いずれも、完成物であるシリコーンゴム造形物は、応力を与えると変形するので、壊れにくいし、ゴム弾性に優れるので、外圧を加えて変形してもすぐに復元できる。また柔らかく、エネルギー吸収力が大きいので、幼児などが投げたり踏んだりしても、破損したり人体や器物を傷つけないので、怪我をする恐れがなく、安全性が高い。さらに、高い伸び率を有するので、腕にぴったりしたブレスレットなどを作ることができる。また、ガラスや木、プラスチックなどと異なり、従来の容器では得られなかった触感を実現できる。
【００１９】
本実施例によれば、誤って口に入れても安全で、空気中に長時間置いても脆化しにくく、シート状にしての造形にも適し、かつ弾性に優れ安全性の高い造形物を作ることができる。
【００２０】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【図面の簡単な説明】
【００２１】
【図１】本考案の実施例１に係る粘土細工キットを示す構成図である。
【図２】本考案の実施例１に係る粘土細工キットで作成したシリコーンゴム造形物の一例である。
【符号の説明】
【００２２】
１  手造りキット
２  造形用固形物
３  ケース
４  分離シート
５  シリコーンゴム造形物
【図１】
0003159801.tif 000003
【図２】
0003159801.tif 000004